(57)【要約】      （修正有）【課題】荷物の支持機能に優れる段ボール製パレットを提供する。【解決手段】段ボール製パレット１０は、上下方向に間隔を空けて対向して配置される天板１及び底板２と、天板及び底板の対向面同士に接続される複数の支柱３とを備え、天板及び底板がそれぞれ、中芯の稜線同士が交差するように複数の段ボールシート１ａ、１ｂ、２ａ、２ｂが積層された積層体であり、支柱が、中芯の稜線が上下方向に延びるように帯状の段ボールシートを円柱状に巻回した巻回体である。【選択図】図１
0003234104.tif 000002
【実用新案登録請求の範囲】
【請求項１】
上下方向に間隔を空けて対向して配置される天板及び底板と、
上記天板及び上記底板の対向面同士に接続される複数の支柱と
を備え、
上記天板及び上記底板がそれぞれ、中芯の稜線同士が交差するように複数の段ボールシートが積層された積層体であり、
上記支柱が、中芯の稜線が上下方向に延びるように帯状の段ボールシートを円柱状に巻回した巻回体である段ボール製パレット。
【請求項２】
上記天板及び上記底板のそれぞれにおいて、直接積層されている上記段ボールシートの中芯の稜線同士が直交しており、
上記天板及び上記底板を構成する上記段ボールシートがそれぞれ両面段ボールシートである請求項１に記載の段ボール製パレット。
【請求項３】
上記天板及び上記底板を構成する上記段ボールシートの枚数がそれぞれ２枚である請求項１又は請求項２に記載の段ボール製パレット。
【請求項４】
上記支柱を構成する上記段ボールシートがＷフルートである請求項１、請求項２又は請求項３に記載の段ボール製パレット。
【請求項５】
上記天板及び上記底板がそれぞれ平面視正方形状であり、
上記複数の支柱が、上記天板及び上記底板の４つの角部同士、上記天板及び上記底板の４つの側縁部の中央部分同士、並びに上記天板及び上記底板の中心部分同士に接続されている請求項１から請求項４のいずれか１項に記載の段ボール製パレット。
【考案の詳細な説明】
【技術分野】
【０００１】
本考案は、段ボール製パレットに関する。
【背景技術】
【０００２】
段ボールシートを用いて形成された段ボール製パレットが知られている。この段ボール製パレットとしては、段ボールシートを用いて形成された天板及び底板と、段ボールシートを用いて形成された支柱とを組み立ててなるものが公知である（特許文献１参照）。
【先行技術文献】
【特許文献】
【０００３】
【特許文献１】実開平５−６５８３７号公報
【考案の概要】
【考案が解決しようとする課題】
【０００４】
特許文献１には、段ボールシートから構成された上板及び底板の間に、片面段ボールシートを巻回してなる楕円柱状の複数の脚を配置してなる段ボール製パレットが記載されている。特許文献１には、脚を楕円柱状とすることで座屈強度を高めることができると記載されている。
【０００５】
しかしながら、特許文献１に記載されている段ボール製パレットは、上方から荷重が加えられた際に、上板及び底板が下方に折れ曲がるおそれが高い。そのため、この段ボール製パレットは、安定して荷物を保管又は輸送し難いことがある。
【０００６】
本考案は、このような不都合に鑑みてなされたものであり、荷物の支持機能に優れる段ボール製パレットを提供することを目的とする。
【課題を解決するための手段】
【０００７】
本考案の一態様に係る段ボール製パレットは、上下方向に間隔を空けて対向して配置される天板及び底板と、上記天板及び上記底板の対向面同士に接続される複数の支柱とを備え、上記天板及び上記底板がそれぞれ、中芯の稜線同士が交差するように複数の段ボールシートが積層された積層体であり、上記支柱が、中芯の稜線が上下方向に延びるように帯状の段ボールシートを円柱状に巻回した巻回体である。
【考案の効果】
【０００８】
本考案の一態様に係る段ボール製パレットは、荷物の支持機能に優れる。
【図面の簡単な説明】
【０００９】
【図１】図１は、本考案の一実施形態に係る段ボール製パレットを示す模式的斜視図である。
【図２】図２は、図１の段ボール製パレットの模式的平面図である。
【図３】図３は、図１の段ボール製パレットの支柱を示す模式的平面図である。
【図４】図４は、図１の段ボール製パレットとは異なる実施形態に係る段ボール製パレットを示す模式的斜視図である。
【考案を実施するための形態】
【００１０】
［本考案の実施形態の説明］
最初に本考案の実施態様を列記して説明する。
【００１１】
本考案の一態様に係る段ボール製パレットは、上下方向に間隔を空けて対向して配置される天板及び底板と、上記天板及び上記底板の対向面同士に接続される複数の支柱とを備え、上記天板及び上記底板がそれぞれ、中芯の稜線同士が交差するように複数の段ボールシートが積層された積層体であり、上記支柱が、中芯の稜線が上下方向に延びるように帯状の段ボールシートを円柱状に巻回した巻回体である。
【００１２】
当該段ボール製パレットは、上記天板及び上記底板がそれぞれ、中芯の稜線同士が交差するように複数の段ボールシートが積層された積層体であるので、上記天板及び上記底板の折れ曲がりを抑制することができる。従って、当該段ボール製パレットは、荷物の支持機能に優れる。
【００１３】
上記天板及び上記底板のそれぞれにおいて、直接積層されている上記段ボールシートの中芯の稜線同士が直交しており、上記天板及び上記底板を構成する上記段ボールシートがそれぞれ両面段ボールシートであるとよい。当該段ボール製パレットは、上記天板及び上記底板のそれぞれにおいて、直接積層されている上記段ボールシートの中芯の稜線同士が直交していることで、上記天板及び上記底板を構成する段ボールシートとして両面段ボールシートを用いても、上記天板及び上記底板の折れ曲がりを十分に抑制することができる。
【００１４】
上記天板及び上記底板を構成する上記段ボールシートの枚数がそれぞれ２枚であるとよい。このように、上記天板及び上記底板を構成する上記段ボールシートの枚数がそれぞれ２枚であることによって、上記天板及び上記底板の強度に優れる段ボール製パレットを容易に形成することができる。
【００１５】
上記支柱を構成する上記段ボールシートがＷフルートであるとよい。このように、上記支柱を構成する上記段ボールシートがＷフルートであることによって、座屈強度に優れる支柱を容易かつ確実に形成することができる。
【００１６】
上記天板及び上記底板がそれぞれ平面視正方形状であり、上記複数の支柱が、上記天板及び上記底板の４つの角部同士、上記天板及び上記底板の４つの側縁部の中央部分同士、並びに上記天板及び上記底板の中心部分同士に接続されているとよい。このように、上記天板及び上記底板がそれぞれ平面視正方形状であり、上記複数の支柱が、上記天板及び上記底板の４つの角部同士、上記天板及び上記底板の４つの側縁部の中央部分同士、並びに上記天板及び上記底板の中心部分同士に接続されていることによって、上記天板及び上記底板の折れ曲がりを抑制しつつ、当該段ボール製パレットの座屈強度を容易かつ確実に高めることができる。
【００１７】
なお、本考案において、「上下方向」とは、当該段ボール製パレットの一般的な使用態様における鉛直方向を意味する。「円柱状」とは、平面視で真円状のものに限定されず、平面視で楕円状のものや長円状のものを含む。
【００１８】
［本考案の実施形態の詳細］
以下、適宜図面を参照しつつ、本考案の実施の形態を詳説する。
【００１９】
［段ボール製パレット］
図１及び図２の段ボール製パレット１０は、上下方向に間隔を空けて対向して配置される天板１及び底板２と、天板１及び底板２の対向面同士に接続される複数の支柱３とを備える。天板１及び底板２はそれぞれ、中芯の稜線同士が交差するように複数の段ボールシートが積層された積層体である。より詳しくは、天板１は、第１段ボールシート１ａ及び第２段ボールシート１ｂが、中芯の稜線同士が交差するように積層された積層体であり、底板２は、第１段ボールシート２ａ及び第２段ボールシート２ｂが、中芯の稜線同士が交差するように積層された積層体である。図３に示すように、支柱３は、中芯の稜線が上下方向に延びるように帯状の段ボールシートを円柱状に巻回した巻回体である。なお、各図は、段ボールシートの中芯を分かりやすく表した模式図であって、当該段ボール製パレット１０の寸法を限定するものではない。
【００２０】
（天板）
天板１は平面視矩形状であり、好ましくは平面視正方形状である。天板１の１辺の長さとしては、特に限定されるものではないが、例えば８００ｍｍ以上１２００ｍｍ以下とすることができる。
【００２１】
天板１は、第１段ボールシート１ａ及び第２段ボールシート１ｂが直接積層された２層体である。すなわち、天板１を構成する段ボールシートの枚数は２枚である。当該段ボール製パレット１０は、第１段ボールシート１ａの中芯の稜線と第２段ボールシート１ｂの中芯の稜線とが交差しているので、天板１を２枚の段ボールシートから構成することで、天板１の強度を容易に高めることができる。
【００２２】
天板１を構成する第１段ボールシート１ａ及び第２段ボールシート１ｂは両面段ボールシートであることが好ましい。中でも、第１段ボールシート１ａ及び第２段ボールシート１ｂとしては、シート厚さが約５ｍｍのＡフルートが好ましい。当該段ボール製パレット１０は、第１段ボールシート１ａ及び第２段ボールシート１ｂの中芯の稜線同士が交差しているので、第１段ボールシート１ａ及び第２段ボールシート１ｂとしてＡフルートを用いた場合でも、天板１の折れ曲がりを抑制することができる。
【００２３】
第１段ボールシート１ａ及び第２段ボールシート１ｂの中芯の稜線同士は直交していることが好ましい。この構成によると、天板１を構成する段ボールシートとして上記両面段ボールシートを用いても、天板１の折れ曲がりを十分に抑制することができる。第１段ボールシート１ａ及び第２段ボールシート１ｂの中芯の稜線方向としては、各段ボールシートの側縁と平行な方向とすることができる。
【００２４】
天板１としては、例えば第１段ボールシート１ａと第２段ボールシート１ｂとを接着剤で固定したものを用いることができる。
【００２５】
（底板）
底板２の平面形状は、天板１と同じとすることができる。すなわち、底板２の平面形状は、天板１と同様に正方形状が好ましい。
【００２６】
底板２は、第１段ボールシート２ａ及び第２段ボールシート２ｂが直接積層された２層体である。すなわち、底板２を構成する段ボールシートの枚数は２枚である。当該段ボール製パレット１０は、天板１及び底板２を構成する段ボールシートの枚数がそれぞれ２枚であることによって、強度に優れる天板１及び底板２を容易に形成することができる。
【００２７】
底板２を構成する第１段ボールシート２ａ及び第２段ボールシート２ｂは両面段ボールシートであることが好ましい。中でも、第１段ボールシート２ａ及び第２段ボールシート２ｂとしては、シート厚さが約５ｍｍのＡフルートが好ましい。当該段ボール製パレット１０は、第１段ボールシート２ａ及び第２段ボールシート２ｂの中芯の稜線同士が交差しているので、第１段ボールシート２ａ及び第２段ボールシート２ｂとしてＡフルートを用いた場合でも、底板２の折れ曲がりを抑制することができる。
【００２８】
第１段ボールシート２ａ及び第２段ボールシート２ｂの中芯の稜線同士は直交していることが好ましい。また、第１段ボールシート２ａ及び第２段ボールシート２ｂの中芯の稜線方向としては、各段ボールシートの側縁と平行な方向とすることができる。当該段ボール製パレット１０は、天板１及び底板２のそれぞれにおいて、直接積層されている第１段ボールシート１ａ、２ａ及び第２段ボールシート１ｂ、２ｂの中芯の稜線同士が直交していることで、天板１及び底板２を構成する段ボールシートとして両面段ボールシートを用いても、天板１及び底板２の折れ曲がりを十分に抑制することができる。
【００２９】
底板２としては、例えば第１段ボールシート２ａと第２段ボールシート２ｂとを接着剤で固定したものを用いることができる。
【００３０】
（支柱）
上述のように、支柱３は、帯状の段ボールシートを巻回して形成された巻回体である。支柱３の外周側の端部は、その内周面側に積層されている部分に対してテープ部材等で固定されていてもよい。
【００３１】
支柱３を構成する段ボールシートの巻回方向の長さとしては、特に限定されるものではないが、例えば１２００ｍｍ以上１８００ｍｍ以下程度とすることができる。また、支柱３の高さ（支柱３を構成する段ボールシートの巻回方向と垂直な方向の長さ）としては、特に限定されるものではないが、例えば７０ｍｍ以上１２０ｍｍ以下程度とすることができる。
【００３２】
支柱３を構成する段ボールシートとしては、特に限定されるものではなく、例えば片面段ボールシート、両面段ボールシート、複両面段ボールシート等を用いることが可能である。中でも、支柱３を構成する段ボールシートとしては、複両面段ボールシートが好ましく、Ｗフルートがより好ましい。当該段ボール製パレット１０は、支柱３を構成する段ボールシートがＷフルートであることによって、座屈強度に優れる支柱３を容易かつ確実に形成することができる。より詳しくは、図３に示すように、例えばＡフルート側を内周側に配置して巻回することで、内周側を適度に押し潰しつつ、比較的少ない巻回回数で段ボールシートを円柱状に容易に形成することができる。
【００３３】
図２に示すように、複数の支柱３は、天板１及び底板２の４つの角部同士、天板１及び底板２の４つの側縁部の中央部分同士、並びに天板１及び底板２の中心部分同士に接続されていることが好ましい。この構成によると、天板１及び底板２の折れ曲がりを抑制しつつ、当該段ボール製パレット１０の座屈強度を容易かつ確実に高めることができる。
【００３４】
支柱３は、接着剤で底板２の内面（上面）に接着したうえで、支柱３の上面（天板１と接続される側の面）に接着剤を付着して天板１を貼り合わせ、その後天板１を底板２側に押圧することで底板２及び天板１に接続される。
【００３５】
＜利点＞
当該段ボール製パレット１０は、天板１及び底板２がそれぞれ、中芯の稜線同士が交差するように複数の段ボールシートが積層された積層体であるので、天板１及び底板２の折れ曲がりを抑制することができる。従って、当該段ボール製パレット１０は、荷物の支持機能に優れる。
【００３６】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３７】
例えば上記天板及び上記底板に用いられる段ボールシートは両面段ボールシートに限定されない。例えば図４に示すように、当該段ボール製パレット２０は、天板２１及び底板２２を構成する段ボールシートとして、Ｗフルートを用いることも可能である。また、当該段ボール製パレットは、上記天板と上記底板とで異なる種類の段ボールシートを用いることも可能である。また、上記天板を構成する段ボールシートとして２以上の種類の段ボールシートを用いてもよく、上記底板を構成する段ボールシートとして２以上の種類の段ボールシートを用いてもよい。
【００３８】
上記天板及び上記底板のそれぞれについて、直接積層される段ボールシートの中芯の稜線同士は必ずしも直交していなくてもよい。当該段ボール製パレットは、直接積層される段ボールシートの中芯の稜線同士が直交していない場合でも、天板１及び底板２の折れ曲がりを抑制することができる。また、当該段ボール製パレットは、上記天板及び上記底板の一方のみにおいて、直接積層される段ボールシートの中芯の稜線同士が直交する構成を採用することも可能である。
【００３９】
上記天板及び上記底板を構成する段ボールシートの枚数は、特に限定されるものではなく、３枚以上とすることも可能である。但し、当該段ボール製パレットは、直接積層される段ボールシートの中芯の稜線同士が交差しているので、上記天板及び上記底板を構成する段ボールシートの枚数が２枚であっても、十分に強度を高めることができる。
【００４０】
当該段ボール製パレットにおいて、支柱の配置は、使用条件等に応じて設定可能である。また、上記天板及び上記底板の形状についても、上記実施形態に記載された以外の形状を採用することも可能である。
【産業上の利用可能性】
【００４１】
以上のように、本考案の一態様に係る段ボール製パレットは、荷物の支持機能に優れるので、荷物の保管、輸送等に好適に用いられる。
【符号の説明】
【００４２】
１  天板
１ａ  第１段ボールシート
１ｂ  第２段ボールシート
２  底板
２ａ  第１段ボールシート
２ｂ  第２段ボールシート
３  支柱
１０  段ボール製パレット
２０  段ボール製パレット
２１  天板
２２  底板
【図１】
0003234104.tif 000003
【図２】
0003234104.tif 000004
【図３】
0003234104.tif 000005
【図４】
0003234104.tif 000006